(57)【要約】【課題】ある場所の状態や状況等の各種情報をリアルタイムに受信可能とした、リアルタイム情報配信システムとその情報配信方法、リアルタイム情報配信プログラムとその記録媒体を提供する。【解決手段】携帯端末１、４、８、リアルタイム情報配信サーバ１００からなるリアルタイム情報配信システムにおいて、上記各種情報をリアルタイムに受信したい場合、携帯端末１、８は、各種情報に関する情報要求をリアルタイム情報配信サーバ１００に送信し、リアルタイム情報配信サーバ１００は、上記各種情報を提供可能な携帯端末４を特定して情報提供要求を送信し、携帯端末４は、情報提供要求に応じた提供情報をリアルタイム情報配信サーバ１００に対して送信し、リアルタイム情報配信サーバ１００は、受信した提供情報を携帯端末１、８に対して送信するようにシステムを構成する。【選択図】図１
2007122341.tif 000002
【特許請求の範囲】
【請求項１】
ある場所の状態や状況等の各種情報の取得を希望する第１のユーザ所有の第１の携帯端末と、前記各種情報を提供することが可能な第２のユーザ所有の第２の携帯端末と、システム管理者所有のリアルタイム情報配信サーバと、からなるリアルタイム情報配信システムであって、
前記第１のユーザがある場所の状態や状況等の各種情報をリアルタイムに受信したい場合に、前記第１の携帯端末は、前記第１のユーザの入力操作により作成された前記各種情報に関する情報要求を、前記リアルタイム情報配信サーバに対して送信し、
前記リアルタイム情報配信サーバは、受信した前記情報要求に対応する前記各種情報を提供することが可能な前記第２の携帯端末を特定し、該特定した第２の携帯端末に対して、前記情報要求に対応した情報提供要求を送信し、
前記特定された前記第２の携帯端末は、受信した前記情報提供要求に応じて該端末ユーザの入力操作により作成された提供情報を、前記リアルタイム情報配信サーバに対して送信し、
前記提供情報を受信した前記リアルタイム情報配信サーバは、該提供情報を、前記第１の携帯端末に対して送信することを特徴とするリアルタイム情報配信システム。
【請求項２】
前記リアルタイム情報配信サーバは、前記リアルタイム情報配信システムに登録しているユーザ登録情報を管理するユーザ登録情報管理手段と、前記ユーザの携帯端末の位置情報を管理する位置情報管理手段と、前記情報要求に対応する前記各種情報を提供することが可能な前記第２の携帯端末を特定する情報発信者検索手段と、を具備し、
前記情報発信者検索手段は、ユーザ登録情報管理手段が有する前記ユーザ登録情報、前記位置情報管理手段が有する前記ユーザの携帯端末の位置情報、及び、前記情報要求に含まれる情報要求場所情報に基づいて、前記情報要求に対応した前記各種情報を提供することが可能な前記第２の携帯端末を特定することを特徴とする請求項２記載のリアルタイム情報配信システム。
【請求項３】
前記提供情報を受信した前記リアルタイム情報配信サーバは、前記位置情報管理手段により、前記提供情報を送信した前記第２の携帯端末の情報提供位置を確認し、前記提供情報が偽情報であるか否かを判断することを特徴とする請求項１又は２に記載のリアルタイム情報配信システム。
【請求項４】
前記リアルタイム情報配信サーバは、前記第２の携帯端末の時間情報を管理する時間情報管理手段を具備し、
前記提供情報を受信した前記リアルタイム情報配信サーバは、前記時間情報管理手段により、前記情報要求から前記提供情報の送信までの経過時間を確認し、前記提供情報がリアルタイムに送信されたものであるか否かを判断することを特徴とする請求項１から３のいずれか１項に記載のリアルタイム情報配信システム。
【請求項５】
前記リアルタイム情報配信サーバは、情報料管理手段と、情報採点手段、及び、課金手段を具備し、
前記情報採点手段は、前記第２の携帯端末の提供情報について採点を行い、採点結果をポイントに置き換えて、得られたポイント数を前記情報料管理手段に対して送信し、
前記情報管理手段は、受信した前記ポイント数を考慮して情報料を算出して、前記課金手段に対して算出した情報料に関する情報を送信し、
前記課金手段は、受信した前記情報料に関する情報を考慮して、前記第１及び第２の携帯端末の使用料を算出することを特徴とする請求項１から４のいずれか１項に記載のリアルタイム情報配信システム。
【請求項６】
ある場所の状態や状況等の各種情報の取得を希望する第１のユーザ所有の第１の携帯端末と、前記各種情報を提供することが可能な第２のユーザ所有の第２の携帯端末と、システム管理者所有のリアルタイム情報配信サーバと、からなるリアルタイム情報配信システムのリアルタイム情報配信方法であって、
前記第１のユーザがある場所の状態や状況等の各種情報をリアルタイムに受信したい場合に、前記第１のユーザの入力操作により作成された前記各種情報に関する情報要求を、前記第１の携帯端末により前記リアルタイム情報配信サーバに対して送信する第１のステップと、
前記リアルタイム情報配信サーバが、受信した前記情報要求に対応する前記各種情報を提供することが可能な前記第２の携帯端末を特定する第２のステップと、
前記リアルタイム情報配信サーバが、前記特定した前記第２の携帯端末に対して、前記情報要求に対応した情報提供要求を送信する第３のステップと、
前記特定された前記第２の携帯端末が、受信した前記情報提供要求に応じて該端末ユーザの入力操作により作成された提供情報を、前記リアルタイム情報配信サーバに対して送信する第４のステップと、
前記提供情報を受信した前記リアルタイム情報配信サーバが、該提供情報を、前記第１の携帯端末に対して送信する第５のステップと、を有することを特徴とするリアルタイム情報配信方法。
【請求項７】
前記リアルタイム情報配信サーバは、前記リアルタイム情報配信システムに登録しているユーザ登録情報を管理するユーザ登録情報管理手段と、前記ユーザの携帯端末の位置情報を管理する位置情報管理手段と、前記情報要求に対応する前記各種情報を提供することが可能な前記第２の携帯端末を特定する情報発信者検索手段と、を具備し、
前記情報発信者検索手段は、ユーザ登録情報管理手段が有する前記ユーザ登録情報、前記位置情報管理手段が有する前記ユーザの携帯端末の位置情報、及び、前記情報要求に含まれる情報要求場所情報に基づいて、前記情報要求に対応した前記各種情報を提供することが可能な前記第２の携帯端末を特定することを特徴とする請求項６記載のリアルタイム情報配信方法。
【請求項８】
前記提供情報を受信した前記リアルタイム情報配信サーバは、前記位置情報管理手段により、前記提供情報を送信した前記第２の携帯端末の情報提供位置を確認し、前記提供情報が偽情報であるか否かを判断することを特徴とする請求項６又は７に記載のリアルタイム情報配信方法。
【請求項９】
前記リアルタイム情報配信サーバは、前記第２の携帯端末の時間情報を管理する時間情報管理手段を具備し、
前記提供情報を受信した前記リアルタイム情報配信サーバは、前記時間情報管理手段により、前記情報要求から前記提供情報の送信までの経過時間を確認し、前記提供情報がリアルタイムに送信されたものであるか否かを判断することを特徴とする請求項６から８のいずれか１項に記載のリアルタイム情報配信方法。
【請求項１０】
前記リアルタイム情報配信サーバは、情報料管理手段と、情報採点手段、及び、課金手段を具備し、
前記情報採点手段は、前記第２の携帯端末の提供情報について採点を行い、採点結果をポイントに置き換えて、得られたポイント数を前記情報料管理手段に対して送信し、
前記情報管理手段は、受信した前記ポイント数を考慮して情報料を算出して、前記課金手段に対して算出した情報料に関する情報を送信し、
前記課金手段は、受信した前記情報料に関する情報を考慮して、前記第１及び第２の携帯端末の使用料を算出することを特徴とする請求項６から９のいずれか１項に記載のリアルタイム情報配信方法。
【請求項１１】
請求項６から１０のいずれか１項に記載のリアルタイム情報配信方法を、コンピュータに実行させるためのリアルタイム情報配信プログラム。
【請求項１２】
請求項１１記載のリアルタイム情報配信プログラムを記録した記録媒体。
【発明の詳細な説明】
【技術分野】
【０００１】
本発明は、リアルタイム情報配信システムとその情報配信方法、リアルタイム情報配信プログラムとその記録媒体に関する。
【背景技術】
【０００２】
今この瞬間、「あの場所の状況はどうなっているのか？」と、リアルタイムに情報を得たいことがある。例えば、台風接近時に地元がどのようになっているか確認したい場合や、行楽等でこれから向かう先はどの程度渋滞しているか確認したい場合などである。
【０００３】
ある場所の状態や状況等の各種情報をリアルタイムに受信したい場合、公共の報道機関による情報やインターネットにあるリアルタイム映像配信に頼る必要がある。話題性のある出来事やイベント以外はそのような状況映像が流されることはなく、リアルタイム映像配信ニーズの高い内容以外はコストパフォーマンスが得られないため映像が配信されることがない。
【０００４】
従って、情報を得たい場所に知人がいるか、又は、公共機関等により情報配信されている場合を除き、得たい情報をリアルタイムに受信することができない。また、情報提供者側では、情報料支払い等の還元がないため、情報提供における手間や通信料の支払い（例えばパケット使用料）等のコストデメリットだけが発生してしまう。
【０００５】
ここで、特許文献１では、携帯端末を用いて取得した情報の伝送をシステム化した即時性のある情報サービスシステムに関する技術が開示されている。
【特許文献１】特開２００５−４３６０号公報
【発明の開示】
【発明が解決しようとする課題】
【０００６】
しかし、上述した様に、ある場所の状態や状況等の各種情報をリアルタイムに知りたい場合、テレビ局によるライブ映像やウェブカメラによる情報発信または知人による情報発信があれば得たい情報を確認することが可能であるが、上記情報発信がない場合にはリアルタイムで得たい情報を確認することができず不便であるという問題があった。
【０００７】
本発明は、上記のような問題点に鑑み、天気、交通渋滞など、ある場所の状態や状況等の各種情報をリアルタイムに受信可能とした、リアルタイム情報配信システムとその情報配信方法、リアルタイム情報配信プログラムとその記録媒体を提供することを目的とする。
【課題を解決するための手段】
【０００８】
請求項１記載の発明は、ある場所の状態や状況等の各種情報の取得を希望する第１のユーザ所有の第１の携帯端末と、前記各種情報を提供することが可能な第２のユーザ所有の第２の携帯端末と、システム管理者所有のリアルタイム情報配信サーバと、からなるリアルタイム情報配信システムであって、前記第１のユーザがある場所の状態や状況等の各種情報をリアルタイムに受信したい場合に、前記第１の携帯端末は、前記第１のユーザの入力操作により作成された前記各種情報に関する情報要求を、前記リアルタイム情報配信サーバに対して送信し、前記リアルタイム情報配信サーバは、受信した前記情報要求に対応する前記各種情報を提供することが可能な前記第２の携帯端末を特定し、該特定した第２の携帯端末に対して、前記情報要求に対応した情報提供要求を送信し、前記特定された前記第２の携帯端末は、受信した前記情報提供要求に応じて該端末ユーザの入力操作により作成された提供情報を、前記リアルタイム情報配信サーバに対して送信し、前記提供情報を受信した前記リアルタイム情報配信サーバは、該提供情報を、前記第１の携帯端末に対して送信するリアルタイム情報配信システムとしたことを特徴とする。
【０００９】
請求項２記載の発明は、前記リアルタイム情報配信サーバは、前記リアルタイム情報配信システムに登録しているユーザ登録情報を管理するユーザ登録情報管理手段と、前記ユーザの携帯端末の位置情報を管理する位置情報管理手段と、前記情報要求に対応する前記各種情報を提供することが可能な前記第２の携帯端末を特定する情報発信者検索手段とを具備し、前記情報発信者検索手段は、ユーザ登録情報管理手段が有する前記ユーザ登録情報、前記位置情報管理手段が有する前記ユーザの携帯端末の位置情報、及び、前記情報要求に含まれる情報要求場所情報に基づいて、前記情報要求に対応した前記各種情報を提供することが可能な前記第２の携帯端末を特定する請求項２記載のリアルタイム情報配信システムとしたことを特徴とする。
【００１０】
請求項３記載の発明は、前記提供情報を受信した前記リアルタイム情報配信サーバは、前記位置情報管理手段により、前記提供情報を送信した前記第２の携帯端末の情報提供位置を確認し、前記提供情報が偽情報であるか否かを判断する請求項１又は２に記載のリアルタイム情報配信システムとしたことを特徴とする。
【００１１】
請求項４記載の発明は、前記リアルタイム情報配信サーバは、前記第２の携帯端末の時間情報を管理する時間情報管理手段を具備し、前記提供情報を受信した前記リアルタイム情報配信サーバは、前記時間情報管理手段により、前記情報要求から前記提供情報の送信までの経過時間を確認し、前記提供情報がリアルタイムに送信されたものであるか否かを判断する請求項１から３のいずれか１項に記載のリアルタイム情報配信システムとしたことを特徴とする。
【００１２】
請求項５記載の発明は、前記リアルタイム情報配信サーバは、情報料管理手段と、情報採点手段、及び、課金手段を具備し、前記情報採点手段は、前記第２の携帯端末の提供情報について採点を行い、採点結果をポイントに置き換えて、得られたポイント数を前記情報料管理手段に対して送信し、前記情報管理手段は、受信した前記ポイント数を考慮して情報料を算出して、前記課金手段に対して算出した情報料に関する情報を送信し、前記課金手段は、受信した前記情報料に関する情報を考慮して、前記第１及び第２の携帯端末の使用料を算出する請求項１から４のいずれか１項に記載のリアルタイム情報配信システムとしたことを特徴とする。
【００１３】
請求項６記載の発明は、ある場所の状態や状況等の各種情報の取得を希望する第１のユーザ所有の第１の携帯端末と、前記各種情報を提供することが可能な第２のユーザ所有の第２の携帯端末と、システム管理者所有のリアルタイム情報配信サーバと、からなるリアルタイム情報配信システムのリアルタイム情報配信方法であって、前記第１のユーザがある場所の状態や状況等の各種情報をリアルタイムに受信したい場合に、前記第１のユーザの入力操作により作成された前記各種情報に関する情報要求を、前記第１の携帯端末により前記リアルタイム情報配信サーバに対して送信する第１のステップと、前記リアルタイム情報配信サーバが、受信した前記情報要求に対応する前記各種情報を提供することが可能な前記第２の携帯端末を特定する第２のステップと、前記リアルタイム情報配信サーバが、前記特定した前記第２の携帯端末に対して、前記情報要求に対応した情報提供要求を送信する第３のステップと、前記特定された前記第２の携帯端末が、受信した前記情報提供要求に応じて該端末ユーザの入力操作により作成された提供情報を、前記リアルタイム情報配信サーバに対して送信する第４のステップと、前記提供情報を受信した前記リアルタイム情報配信サーバが、該提供情報を、前記第１の携帯端末に対して送信する第５のステップとを有するリアルタイム情報配信方法としたことを特徴とする。
【００１４】
請求項７記載の発明は、前記リアルタイム情報配信サーバは、前記リアルタイム情報配信システムに登録しているユーザ登録情報を管理するユーザ登録情報管理手段と、前記ユーザの携帯端末の位置情報を管理する位置情報管理手段と、前記情報要求に対応する前記各種情報を提供することが可能な前記第２の携帯端末を特定する情報発信者検索手段とを具備し、前記情報発信者検索手段は、ユーザ登録情報管理手段が有する前記ユーザ登録情報、前記位置情報管理手段が有する前記ユーザの携帯端末の位置情報、及び、前記情報要求に含まれる情報要求場所情報に基づいて、前記情報要求に対応した前記各種情報を提供することが可能な前記第２の携帯端末を特定する請求項６記載のリアルタイム情報配信方法としたことを特徴とする。
【００１５】
請求項８記載の発明は、前記提供情報を受信した前記リアルタイム情報配信サーバは、前記位置情報管理手段により、前記提供情報を送信した前記第２の携帯端末の情報提供位置を確認し、前記提供情報が偽情報であるか否かを判断する請求項６又は７に記載のリアルタイム情報配信方法としたことを特徴とする。
【００１６】
請求項９記載の発明は、前記リアルタイム情報配信サーバは、前記第２の携帯端末の時間情報を管理する時間情報管理手段を具備し、前記提供情報を受信した前記リアルタイム情報配信サーバは、前記時間情報管理手段により、前記情報要求から前記提供情報の送信までの経過時間を確認し、前記提供情報がリアルタイムに送信されたものであるか否かを判断する請求項６から８のいずれか１項に記載のリアルタイム情報配信方法としたことを特徴とする。
【００１７】
請求項１０記載の発明は、前記リアルタイム情報配信サーバは、情報料管理手段と、情報採点手段、及び、課金手段を具備し、前記情報採点手段は、前記第２の携帯端末の提供情報について採点を行い、採点結果をポイントに置き換えて、得られたポイント数を前記情報料管理手段に対して送信し、前記情報管理手段は、受信した前記ポイント数を考慮して情報料を算出して、前記課金手段に対して算出した情報料に関する情報を送信し、前記課金手段は、受信した前記情報料に関する情報を考慮して、前記第１及び第２の携帯端末の使用料を算出する請求項６から９のいずれか１項に記載のリアルタイム情報配信方法としたことを特徴とする。
【００１８】
請求項１１記載の発明は、請求項６から１０のいずれか１項に記載のリアルタイム情報配信方法を、コンピュータに実行させるためのリアルタイム情報配信プログラムとしたことを特徴とする。
【００１９】
請求項１２記載の発明は、請求項１１記載のリアルタイム情報配信プログラムを記録した記録媒体としたことを特徴とする。
【発明の効果】
【００２０】
本発明によれば、天気、交通渋滞など、ある場所の状態や状況等の各種情報をリアルタイムに受信可能とした、リアルタイム情報配信システム、リアルタイム情報配信方法およびプログラムとその記録媒体を実現することができる。
【発明を実施するための最良の形態】
【００２１】
本発明を実施するための最良の形態は、ある場所の状態や状況等の各種情報の取得を希望する第１のユーザ所有の第１の携帯端末と、各種情報を提供することが可能な第２のユーザ所有の第２の携帯端末と、システム管理者所有のリアルタイム情報配信サーバとからなるリアルタイム情報配信システムにおいて、第１のユーザがある場所の状態や状況等の各種情報をリアルタイムに受信したい場合に、第１の携帯端末は、第１のユーザの入力操作により作成された各種情報に関する情報要求をリアルタイム情報配信サーバに対して送信し、リアルタイム情報配信サーバは、受信した情報要求に対応する各種情報を提供することが可能な第２の携帯端末を特定し、特定した第２の携帯端末に対して情報要求に対応した情報提供要求を送信し、特定された第２の携帯端末は、受信した情報提供要求に応じて該端末ユーザの入力操作により作成された提供情報をリアルタイム情報配信サーバに対して送信し、この提供情報を受信したリアルタイム情報配信サーバは、該提供情報を第１の携帯端末に対して送信するようにシステムを構成する。
【００２２】
以下に、本発明の好適な実施形態を添付図面に基づいて詳細に説明する。尚、以下に述べる実施形態は本発明の好適な具体例であるから、技術的に好ましい種々の限定が付されているが、本発明の範囲は、以下の説明において特に本発明を限定する旨の記載がない限り、これらの実施形態に限られるものではない。
【００２３】
（実施形態１）
本実施形態のリアルタイム情報配信システムは、リアルタイムに入手（受信）したい情報（例えば、ある場所の天気や渋滞状況またはバーゲンの混雑状況等）がある場合、その場所に居る全く面識がない人に情報発信依頼を行い、情報を発信してもらうことで入手したい情報を受信可能とするシステムである。
【００２４】
また、本実施形態のリアルタイム情報配信システムでは、情報の受信に際しては情報受信料を設定し、情報受信者は情報発信者に対して一定の情報料を支払う機能を提供する。また、提供される情報の内容について、情報受信者または第三者が採点し、その点数に応じた相当額が、携帯電話事業者（以下、事業者と称す）より情報発信者に支払われる機能を提供する。これにより、一層の情報発信が促され、本サービスの活性化が促進される。
【００２５】
また、本実施形態のリアルタイム情報配信システムにおいては、情報受信料と採点数相当額は、事業者センター内では「ポイント」により管理／集計され、情報提供者に対してポイント数に応じた金額の還元が行われる。例えば、事業者は情報受信者より毎月の携帯電話使用料に計上する形で情報受信料を徴収し、情報提供者には事業者が定めた情報提供毎のポイント数を加算していき、合計ポイント数に応じた金額分を情報提供者の携帯電話使用料から差し引くことができる。
【００２６】
また、本実施形態のリアルタイム情報配信システムでは、提供される情報に対して、携帯端末の有する位置情報機能を用いて情報提供位置の確認を行うと共に、事業者センター内にて時間情報を付加することにより、偽情報提供を防止する。
【００２７】
また、本実施形態のリアルタイム情報配信システムでは、情報の収集，発信に携帯電話、ＰＤＡ、ノートＰＣ等のモバイル端末を使用する。これにより、リアルタイムで情報を収集、提供、受信することが可能となる。以下に説明する本実施形態のリアルタイム情報配信システムでは、携帯電話を使用した場合を想定する。
【００２８】
まず、本実施形態のリアルタイム情報配信システムの構成及び各部の機能について添付図面を用いて以下に説明する。図１は、本実施形態のリアルタイム情報配信システムの構成図である。図１に示すように、本実施形態のリアルタイム情報配信システムは、リアルタイムに情報の受信を希望する情報要求者Ａが所有する携帯端末１、情報要求に応じて対応する情報を発信する情報発信者が所有する携帯端末４、リアルタイムに情報の受信を希望する情報要求者Ｂが所有する携帯端末８、及び、リアルタイム情報配信サーバ１００からなる。
【００２９】
図１に示すように、リアルタイム情報配信サーバ１００は、情報発信要求受付部２、情報発信者検索部３、情報送受信部５、位置情報管理部６、時間情報管理部７、情報料管理部９、情報採点部１０、課金部１１、及び、ユーザ登録情報管理部１２を備えている。情報発信要求受付部２は、情報要求者の情報要求の受付および管理を行う。
【００３０】
情報発信者検索部３は、携帯端末１又は携帯端末８からの情報要求に対応する情報を発信可能な携帯端末４を検索する。なお、携帯端末４はユーザ登録がされていることを前提としており、情報発信者検索部３は、携帯端末４のユーザ情報の管理も行っている。また、情報発信者検索部３は、検索に際して位置情報管理部６およびユーザ登録情報管理部１２から必要な情報を入手する。
【００３１】
なお、ユーザ登録制度を採用する場合には、本システムの使用を希望するユーザ数が少なくなる可能性がある。従って、携帯電話ユーザ全般への本システムの適用を考慮した場合には、本実施形態におけるリアルタイム情報配信サーバ１００のユーザ登録機能を用いずにシステムを構成することもできる。
【００３２】
情報送受信部５は、携帯端末４（情報発信者）から送信された情報を一時格納し、情報携帯端末１（情報要求者Ａ）又は携帯端末８（情報要求者Ｂ）に送信する。また、情報送受信部５は、携帯端末４（情報発信者）から送信された情報を格納した後、一定時間が経過してしまい情報のリアルタイム性が無くなったと判断した場合、格納している情報を消去する。
【００３３】
位置情報管理部６は、携帯電話等に位置情報を提供している既存の装置（機能）である。位置情報管理部６は、情報発信者検索部３に対する位置情報の提供および提供情報受信時の携帯端末４の位置確認を行う。更に、時間情報管理部７は、提供情報に対して、提供情報受信時の時間情報を付加するために必要な情報を提供する。なお、上記時間情報とは、携帯端末４に情報要求を行った時から、携帯端末４から提供情報が送信されるまでの時間を監視した情報のことである。
【００３４】
情報料管理部９は、情報発信者に対する情報料を管理する。なお、情報料の管理はポイント数で行い、ポイント数を金銭換算して情報発信者に還元する。情報採点部１０は、提供された情報の品質を採点して、採点結果に応じて情報発信者にポイント数を付加する。課金部１１は、携帯電話システムで使用されている携帯電話使用料金を管理する既存の装置（機能）である。ユーザ登録情報管理部１２は、本サービスを利用するユーザ（ユーザ登録情報）を管理する。
【００３５】
次に、本実施形態のリアルタイム情報配信システムの動作について図１、図８を用いて以下に説明する。図８は、本実施形態のリアルタイム情報配信システムの動作について説明するためのフローチャートである。図１に示すように、携帯端末１の所有者は、情報を要求しているユーザであり、情報を得たい場所や要求事項についてルート１を通じてリアルタイム情報配信サーバ１００に対して情報要求を発信する（ステップ１０１：図８）。
【００３６】
なお、上記情報要求に際しては、携帯端末１の携帯端末番号やメールアドレスは必要なく、専用ＩＤ等を設けて通信を行うことで個人情報保護やセキュリティーを高めるようなシステム構成をすることができる。
【００３７】
上記情報要求の内容は、リアルタイム情報配信サーバ１００の情報発信要求受付部２において受信される（ステップ１０２：図８）。そして、情報発信要求受付部２は、携帯端末１から受信した情報要求の内容を確認し、図１に示すルート２を通じて情報発信者検索部３に検索用情報を送信し、検索要求を行う（ステップ１０２：図８）。
【００３８】
ここで携帯端末１から発信された情報要求は、予め用意された規定のフォーマットの各項目を埋めることで作成される。このフォーマットには、情報要求場所、ピンポイント情報（建物名や駅名など）が記載される。情報発信要求受付部２は、この情報要求の内容を判断し、情報発信者検索部３に検索用情報を送信する（ステップ１０２：図８）。
【００３９】
次に、情報発信者検索部３は、携帯端末１から要求されている情報の取得場所に情報提供者がいるかを検索する（ステップ１０３、ステップ１０４：図８）。この際、情報発信者検索部３は、図１に示すルート３を使用して、位置情報管理部６で管理されている位置登録情報を参照する。
【００４０】
また、位置情報管理部６にはカーナビゲーションシステムと同等のナビゲーション機能が具備されており、携帯端末１からの情報要求のフォーマットに記載されているピンポイント情報を参照して、詳細な位置情報を割り出す（ステップ１０４：図８）。例えば、携帯端末１からの情報要求のフォーマットに「ランドマークタワー」と書かれていた場合、位置情報管理部６は、当場所の住所を割り出して、その位置にいる携帯端末４（情報発信者）の情報を情報発信者検索部３に送信する。
【００４１】
携帯端末４（情報発信者）がＧＰＳによるナビゲーション機能を有している場合は、当機能と本システムを連動させることで更に詳細な位置情報を入手することができる。なお、本システムの提供するサービスはユーザ登録を行ったユーザのみ使用可能であるため、情報発信者検索部３はルート１７を通じてユーザ登録情報管理部１２のユーザ登録者情報を参照して目的の場所にユーザ登録者がいるか検索を行う。
【００４２】
位置情報管理部６およびユーザ登録情報管理部１２により携帯端末４（情報発信者）の存在が確認できた場合、情報発信者検索部３は、ルート５により携帯端末４（情報発信者）に対して情報提供を要求する（ステップ１０５：図８）。そして、携帯端末４（情報発信者）は、情報提供要求を受信した場合、携帯電話のモバイルカメラを使用して、静止画または動画を撮影し、ルート６を通じて、リアルタイム情報配信サーバ１００の情報送受信部５に対してデータ送信を行う（ステップ１０６：図８）。
【００４３】
なお、携帯端末４は、モバイルカメラによる撮影時にコメント等、臨場感を伝えられる情報を付加することが可能である。これらの情報を受信した情報送受信部５は（ステップ１０７：図８）、携帯端末４の所在地に偽りが無いことを保証するための位置情報を、位置情報管理部６よりルート７を通じて入手し、情報送受信部５に格納されている携帯端末４からの提供情報に付加する（ステップ１０８：図８）。
【００４４】
なお、携帯端末４が情報を送信する場合、携帯端末番号やメールアドレスは必要なく、専用ＩＤ等を設けて通信を行うことで個人情報保護やセキュリティーを高めることができる。また、携帯端末４の提供する情報がリアルタイムに撮影されたものであることを保証するために、時間情報管理部７よりルート８を通じて時間情報を入手し、同様に提供情報に付加する（ステップ１０８：図８）。
【００４５】
但し、この時、情報送受信部５は、ルート１６を通じて情報発信者検索部３と通信を行い、情報要求から情報送信までの経過時間を確認し、リアルタイムに送信された情報であるか確認を行う。以上の動作により、加工された提供情報は、情報送受信部５によりルート９を通じて携帯端末１（情報要求者Ａ）に送信される（ステップ１０９：図８）これにより、携帯端末１（情報要求者Ａ）が要求した情報が、携帯端末１（情報要求者Ａ）に対してリアルタイムに提供される（ステップ１１０：図８）。
【００４６】
また、携帯端末１（情報要求者Ａ）と同タイミングに情報要求している携帯端末８（情報要求者Ｂ）がいた場合は、携帯端末１と同様の提供情報を、携帯端末８にも提供することが可能である。ただし、情報送受信部５において、携帯端末４から提供情報を受信してから一定時間が経過した場合は、この提供情報に関するデータは消去される。
【００４７】
次に、情報料管理部９は、携帯端末４（情報発信者）に対する情報料を支払うための情報を収集する。まず、ルート１４により情報発信要求受付部２から携帯端末１（情報要求者Ａ）および携帯端末８（情報要求者Ｂ）の情報要求受付情報を入手する。また、情報料管理部９は、ルート１１及びルート１２により、携帯端末１又は携帯端末８が要求した情報を受信したことを確認するとともに、同ルートにより情報発信料の支払い請求を行い、支払われた情報料に関する情報を保存する。
【００４８】
なお、直接の金銭授受は行えないため、ポイント等に代替して仮支払いを行い、携帯端末使用料支払い時に一括して清算する（ステップ１１１→ステップ１１４→ステップ１１５：図８）。一括清算を行う場合は、情報料管理部９が課金部１１に対してポイント数に応じた還元額を通知し、課金部１１が携帯端末４の携帯電話使用料から還元額を差し引く（値引きする）ことで、携帯端末１と携帯端末４との間の清算が完了することになる。
【００４９】
また、情報採点部１０は、携帯端末４の情報発信数を管理し、ルート１１、１２により情報提供された携帯端末１又は携帯端末８の情報評価結果（採点結果）を格納している（ステップ１１２：図８）。情報採点部１０は、この採点結果をポイントに置き換えて（ステップ１１３：図８）、ルート１５を通じてポイント数通知を行う。そして、ポイント数通知を受信した情報料管理部９は、ポイント数通知を基づいて通知されたポイント数を、本来の情報料（ポイント数）に加算する。その結果として携帯端末４への還元額が増額される（ステップ１１３→ステップ１１４：図８）。
【００５０】
なお、情報評価は、第３者（例えば携帯電話事業者等）が実施し、ポイント数を決定する。また、還元する方法については、事業者センター内の既存機能である課金機能と情報料管理部９を連動させ、例えば携帯端末４の月の携帯電話使用料からポイント還元額を差し引くことでポイント還元を行うことができる。また、携帯端末１は携帯端末４に対して支払いを行うが、提供された情報が要求内容に相当しないものである場合は、情報要求者Ａ（携帯端末１）は、支払いの拒否、事業者への通知を行うことができる。
【００５１】
次に、携帯端末の画面表示の構成例を、図２〜７を用いて以下に説明する。図２は、本実施形態における携帯端末１（情報要求者Ａ）の情報要求送信画面を示した図である。図２に示すように、情報要求においては固定の要求フォーマットがあり、それに従って要求事項を入力する。
【００５２】
また、図３〜６は、携帯端末４（情報発信者）の画面表示の構成例である。図３は、本実施形態における携帯端末４の情報要求内容表示画面を示した図である。図４は、本実施形態における携帯端末４の撮影要求画面を示した図である。図５は、本実施形態における携帯端末４のコメント入力画面を示した図である。図６は、本実施形態における携帯端末４の情報送信画面を示した図である。図７は、本実施形態における携帯端末１の情報受信画面を示した図である。
【００５３】
情報発信者（携帯端末４）は、図３〜６に示す表示画面に従ってモバイルカメラによる撮影とコメント入力を行った後に送信ボタンを選択することにより情報送信が行われる。その後、携帯端末１は、携帯端末４からの提供情報をリアルタイム情報配信サーバ１００を介して受信すると、図７に示すような受信画面を表示する。これにより、情報要求者Ａは、リアルタイムに取得したい情報の確認をすることができる。
【００５４】
本実施形態のリアルタイム情報配信システムによれば、必要な情報がリアルタイムに受信可能となる。その理由は、本システムが、情報が欲しい時に、その場所にいる人に情報要求を行う機能を有するからである。また、本実施形態のリアルタイム情報配信システムによれば、情報が欲しい場所に知人がいない場合や、ウェブカメラ等がない場合でも、欲しい情報を取得できる。その理由は、本システムが、情報が欲しい場所にいる面識がない人に情報発信要求を行うからである。
【００５５】
また、本実施形態のリアルタイム情報配信システムによれば、情報発信場所の偽装を防止することができる（取得場所証明）。その理由は、本システムでは、既存の位置情報サービスと連動することにより、提供情報に対して、情報取得時の取得場所情報を付加して情報要求者に通知するからである。
【００５６】
また、本実施形態のリアルタイム情報配信システムによれば、情報を取得した時間の偽装を防止することができる（取得時間証明）。その理由は、提供情報に対して時間情報を付加することにより、情報取得時の時間情報を付加して情報要求者に通知するからである。
【００５７】
また、本実施形態のリアルタイム情報配信システムは、本システムを導入した事業者にも利益があるようにシステム構成をすることが可能である。例えば、１情報あたりの受信料を１０円とし、情報提供者へのポイント還元率を１ポイントあたり５円とした場合には、事業者としては１情報当たり５円の利益が見込める。
【００５８】
なお、本実施形態では、リアルタイム情報配信サーバ１００は携帯電話事業者の管理下にあることを前提として説明を行ったが、携帯電話事業者でなくインターネットサービスプロバイダ（ＩＳＰ）である場合にも、上述したのと同様のサービスを構築することが可能である。
【００５９】
例えば、図１における携帯端末１がパソコンユーザであり、携帯端末４がモバイルカメラ装着のパソコンユーザである場合、図１に示したリアルタイム情報配信サーバ１００と同様の構成を有するサーバをＩＳＰ側で実現した場合は、同様のサービスが実現可能である。なお、情報提供の位置確認については、ＰＨＳや無線ＬＡＮ等の無線基地局やアクセスポイントによる位置登録機能を使用することにより実現することができる。
【００６０】
本発明は、面識がないもの同士による情報の発信、受信といった用途、個人が発信する情報の信憑性を判断する用途、及び、情報発信と受信に関する情報発信料の授受、または、携帯電話事業者を介した情報発信料の授受に関する機能提供の分野にも適用することが可能である。
【図面の簡単な説明】
【００６１】
【図１】本実施形態のリアルタイム情報配信システムの構成図である。
【図２】本実施形態における携帯端末１の情報要求送信画面を示した図である。
【図３】本実施形態における携帯端末４の情報要求内容表示画面を示した図である。
【図４】本実施形態における携帯端末４の撮影要求画面を示した図である。
【図５】本実施形態における携帯端末４のコメント入力画面を示した図である。
【図６】本実施形態における携帯端末４の情報送信画面を示した図である。
【図７】本実施形態における携帯端末１の情報受信画面を示した図である。
【図８】本実施形態のリアルタイム情報配信システムの動作について説明するためのフローチャートである。
【符号の説明】
【００６２】
１    携帯端末
２    情報発信要求受付部
３    情報発信者検索部
４    携帯端末
５    情報送受信部
６    位置情報管理部
７    時間情報管理部
８    携帯端末
９    情報管理部
１０    情報採点部
１１    課金部
１２    ユーザ登録情報管理部
１００    リアルタイム情報配信サーバ
【図１】
2007122341.tif 000003
【図２】
2007122341.tif 000004
【図３】
2007122341.tif 000005
【図４】
2007122341.tif 000006
【図５】
2007122341.tif 000007
【図６】
2007122341.tif 000008
【図７】
2007122341.tif 000009
【図８】
2007122341.tif 000010